(57)【特許請求の範囲】
【請求項１】
縮尺度の異なる複数のイラスト駒が配置された複数のイラストシートが展開可能に収納されているイラスト見本帳であって、
連結ピンを介して結合された表表紙及び裏表紙間に前記イラストシートが前記連結ピンのまわりに回動可能に支持され、
各イラストシートごとに種類内容が異なる形態のイラスト駒が所定縮尺度で順次列設されると共に、当該イラスト駒の種類内容を表記するタブが前記イラストシートの一辺にて互いに重ならないように突出配置され、前記タブを摘んで回動させることで所望の前記イラストシートを展開可能とし、
前記イラストシートは透明の薄型プラスチック材でなり、このプラスチック材に前記イラスト駒が印刷形成され、またはシール片として添着され、
展開した前記イラストシートの所望のイラスト駒が、対象となる図面にあてがわれて使用されることを特徴とするイラスト見本帳。
【発明の詳細な説明】
【０００１】
【発明の属する技術分野】
本発明は、建築業、看板業などの製造業等において、たとえば商談等の打合せ時に用意された図面に対して、所定のスケールサイズのイラスト等を提供する見本帳に関するものである。
【０００２】
【従来の技術】
この種の業界では商談等の際、構想図や設計図等を使って打合せを行なう場合が多い。たとえば住宅建築の場合、家屋内装の設計計画を行なうために色見本を用意し、その色見本を見ながら具体的な打合せを進める。かかる色見本を使用することで、実際のものに近いイメージを得ることができ、商談あるいは打合せ等を効率よく進めることができる。
【０００３】
【発明が解決しようとする課題】
上述の例のような色見本帳は知られているが、従来イラストを対象とした、言わばイラスト見本帳は知られていない。
そこで本発明は、多数のイラスト見本を備えた新規なイラスト見本帳を提供することを目的とする。
【０００４】
【課題を解決するための手段】
本発明のイラスト見本帳は、縮尺度の異なる複数のイラスト駒が配置された複数のイラストシートが展開可能に収納されているイラスト見本帳であって、
連結ピンを介して結合された表表紙及び裏表紙間に前記イラストシートが前記連結ピンのまわりに回動可能に支持され、
各イラストシートごとに種類内容が異なる形態のイラスト駒が所定縮尺度で順次列設されると共に、当該イラスト駒の種類内容を表記するタブが前記イラストシートの一辺にて互いに重ならないように突出配置され、前記タブを摘んで回動させることで所望の前記イラストシートを展開可能とし、
前記イラストシートは透明の薄型プラスチック材でなり、このプラスチック材に前記イラスト駒が印刷形成され、またはシール片として添着され、
展開した前記イラストシートの所望のイラスト駒が、対象となる図面にあてがわれて使用されることを特徴とする。
【０００７】
本発明によれば、イラスト見本帳に収納されているイラストシートのうちから所望の形態と縮尺度のものを選択し、それを連結ピンのまわりに回動させることでイラスト見本帳から展開することができる。そして所望の縮尺度のイラスト駒を、用意された図面等の適所にあてがうことで、その図面等およびイラスト駒双方によって極めてリアル感のある視覚効果が得られる。
【０００８】
【発明の実施の形態】
以下、図面に基づき、本発明によるイラスト見本帳の好適な実施の形態を説明する。
図１はこの実施形態におけるイラスト見本帳の斜視図、図２はそのイラスト見本帳の側面図である。図において、このイラスト見本帳１０には、後述するように縮尺度の異なる複数のイラスト駒が配置された複数のイラストシート１１が展開可能（図１、一点鎖線参照）に収納されている。
【０００９】
図２にも示されるように、表表紙１２および裏表紙１３が連結ピン１４を介して結合している。表表紙１２および裏表紙１３は厚紙あるいはコート紙等により形成され、比較的こしのあるものになっている。連結ピン１４は、たとえばイラスト見本帳１０の角部に配置され、表表紙１２および裏表紙１３間に各イラストシート１１がこの連結ピン１４のまわりに回動可能に支持される。
【００１０】
各イラストシート１１は透明の薄型プラスチック材でなり、適度な可撓性を有している。また、イラストシート１１はその一辺にて、図１のように互いに重ならないように突出配置されたタブ１５を有する。タブ１５には、後述するイラスト駒の種類内容等（たとえば、人物（子供、男性、女性）、樹木、乗物等の項目）が表記されている。このタブ１５を摘んで上述のように連結ピン１４のまわりに回動させ、イラスト見本帳１０からそのイラストシート１１を展開することができる。
【００１１】
ここで、図３および図４は、イラストシート１１の構成例を示している。各イラストシート１１ごとに異なる形態のイラスト駒１６が所定縮尺度で順次列設されている。この例では、たとえば図３のように、女性の立姿を描いたイラスト駒１６ａ〜16ｆが１／１００〜１／５０の縮尺度で順に配置される。また、図４のように、１枚のイラストシート１１に１つのイラスト駒１６が配置されるようにしてもよい。なお、これらの場合タブ１５には、「女性・立姿」等のイラスト内容を表記する項目が付される。イラスト駒１６は、イラストシート１１に印刷成形、またはシール片として添着されている。このように種類の異なるイラストシート１１を複数収納することで、イラスト見本帳１０は１０００種類以上のイラスト駒１６を含むことができる。
【００１２】
また、イラスト駒１６はモノトーンあるいはフルカラーの色彩が付されてもい。
図３のように描画領域（黒塗つぶし部分）を除いて、それ以外の領域は透明となっている。上述のように印刷あるいはシールでイラスト駒１６を構成する場合の他に、各イラスト駒１６を別体に分離構成し、各々をイラストシート１１に設けた袋状の収納部に収納するようにすることもできる。その場合各イラスト駒１６を単独でイラストシート１１から挿脱することができる。
【００１３】
本発明のイラスト見本帳は上記のように構成されており、つぎにその作用を説明する。
たとえば図５に示したように商談等の際、構想図や設計図の図面が用いられ、その図面には所定の縮尺度で商談テーマの内容等が描かれているものとする。なお、図面は必ずしも構想図や設計図ばかりでなく、写真や印刷物等であってもよい。
【００１４】
このような図面に対してイラスト見本帳１０を使用する場合、典型的には図面の内容のものと同一縮尺度のイラスト駒１６を選択し、これを図面の適所にあてがう。
図示例ではイラスト見本帳１０に収納されているイラストシート１１のうちから「人物」のタブ１５を選び、そのイラストシート１１を連結ピン１４のまわりに矢印のように回動させることでイラスト見本帳１０から展開する。そしてイラスト駒１６を、図示例のように図面の適所にあてがうことで、その図面とイラスト駒１６双方によって極めてリアル感のある視覚効果が得られる。
【００１５】
上記の場合、イラスト駒１６の種類内容としては「人物」の場合の他に、図５に併記されているように「樹木」や「乗物」等種々の形態を選択することができる。
【００１６】
上述の例のように商談等に使用する場合の他、たとえば建築業、看板業、内装業などの図面を必要とする職業や、建築・インテリア・デザイン関係の専門学生（小学、中学、高校あるいは大学）等においても有効に使用することができる。
また、業務,学習用の作図見本、あるいはクライアントにプレゼンテーションする場合等その用途、使い道は極めて広範である。
【００１７】
本発明の好適な実施形態を説明したが、本発明は上記実施形態のみに限定されるものでなく、本発明の範囲内で種種変形等が可能である。
たとえば、イラストシート１１に含まれるイラスト駒１６の数やその縮尺度等は必要に応じて適宜変更可能である。また、イラスト見本帳１０に収納されるイラストシート１１の数量等についても必要に応じて適宜変更可能である。
【００１８】
【発明の効果】
以上説明したように本発明によれば、従来存在しなかった新規なイラスト見本帳を提供することで、特に図面を必要とする職業において作図、商談、打合せ等を極めて効率よく行なうことができる。また、構造が比較的簡単であり、低コストで利便性の高いイラスト見本帳を実現する等の利点を有している。
【図面の簡単な説明】
【図１】本発明のイラスト見本帳の好適な実施形態における外観構成例を示す斜視図である。
【図２】本発明のイラスト見本帳の実施形態における側面図である。
【図３】本発明のイラスト見本帳の実施形態におけるイラストシートの構成例を示す平面図である。
【図４】本発明のイラスト見本帳の実施形態におけるイラストシートの構成例を示す平面図である。
【図５】本発明のイラスト見本帳の実施形態における使用例を示す図である。
【符号の説明】
１０    イラスト見本帳
１１    イラストシート
１２    表表紙
１３    裏表紙
１４    連結ピン
１５    タブ
１６    イラスト駒
【図１】
0004625568.tif 000002
【図２】
0004625568.tif 000003
【図３】
0004625568.tif 000004
【図４】
0004625568.tif 000005
【図５】
0004625568.tif 000006